(57)【特許請求の範囲】
【請求項１】
隔壁の内外に配される内側、外側の配線にそれぞれ接続される対のコネクタ同士を接続するにあたり、前記隔壁に貫通孔を開設し、該貫通孔をコネクタ支持部材で塞ぐと共に、該コネクタ支持部材に、前記対のコネクタのうち片方のコネクタがコネクタ支持部材の内外を貫通する状態で挿入支持される支持孔と、該支持孔の内周部に形成されて片方のコネクタの支持孔への挿入をガイドするべく片方のコネクタに形成のスライド部をスライド移動自在にガイドするガイド部と、片方のコネクタが支持孔の所定位置まで挿入されたときに該片方のコネクタに形成の係止部に係止して片方のコネクタの移動を規制する係止受部とを設け、該係止部と係止受部との係止により片方のコネクタをコネクタ支持部材の支持孔に位置決め状に支持せしめた状態で、該片方のコネクタに他方のコネクタを接続する構成にすると共に、係止受部をコネクタ支持部材のガイド部に形成し、該係止受部に係止する係止部を片方のコネクタのスライド部に形成し、これらコネクタ支持部材のガイド部に形成される係止受部、片方のコネクタのスライド部に形成される係止部を第一の係止受部、第一の係止部とする一方、コネクタ支持部材の支持孔の内周部に、ガイド部から周回り方向に離間させて突起部を形成し、該突起部を第二の係止受部にすると共に、該第二の係止受部に係止する第二の係止部として、前記突起部に係止する係止孔が開設された係止片を片方のコネクタに設けたことを特徴とするコネクタの支持構造。
【請求項２】
請求項１において、片方のコネクタに、係止片の周回り方向両側において係止片よりも外径方向に突出して係止片をガードするガード部を設けたことを特徴とするコネクタの支持構造。
【請求項３】
請求項１または２において、片方のコネクタは、コネクタ支持部材の支持孔に位置決め状に支持された状態で該支持孔の挿入方向基端側の孔縁部に対向するフランジ部を備えると共に、該フランジ部に支持孔の孔縁部との間をシールするシール材を装着したことを特徴とするコネクタの支持構造。
【請求項４】
請求項１乃至３の何れか一項において、コネクタ支持部材は、該コネクタ支持部材の外周縁部が貫通孔の孔縁部に突当てられた状態で隔壁に取付けられると共に、前記コネクタ支持部材の外周縁部に隔壁との間をシールするシール材を装着したことを特徴とするコネクタの支持構造。
【請求項５】
請求項１乃至４の何れか一項において、コネクタ支持部材の支持孔にコネクタが支持されていない場合に、該支持孔をキャップで塞ぐ構成にすると共に、該キャップは、支持孔を塞ぐ蓋面部と、支持孔に挿入支持される脚片部とを備え、蓋面部の外周縁部が支持孔の孔縁部に対向する状態で支持孔に取付けられると共に、該蓋面部の外周縁部に支持孔の孔縁部との間をシールするシール材を装着したことを特徴とするコネクタの支持構造。
【請求項６】
請求項５において、キャップの脚片部に、コネクタ支持部材の支持孔の内周部に第二の係止受部として形成された突起部に係止する係止孔を開設し、該脚片部の係止孔が突起部に係止することでキャップが支持孔に位置決め状に支持される構成にしたことを特徴とするコネクタの支持構造。
【請求項７】
請求項１乃至６の何れか一項において、コネクタ支持部材は、複数対のコネクタを個別に支持するべく複数の支持孔を備えることを特徴とするコネクタの支持構造。
【請求項８】
請求項１乃至７の何れか一項において、隔壁は、建設機械のキャブの外殻を形成する壁面であることを特徴とするコネクタの支持構造。
【発明の詳細な説明】
【技術分野】
【０００１】
本発明は、配線同士を接続するためのコネクタの支持構造の技術分野に関するものである。
【背景技術】
【０００２】
一般に、隔壁の内外に配設される電気機器類同士を電気的に接続する場合、例えば、油圧ショベル等の建設機械において、キャブの室内に配設される電気機器類とキャブの室外に配設される電気機器類とを電気的に接続する場合には、キャブの室内外を連通する配線が必要になるが、このような場合に、上記配線作業を容易且つ効率良く行なえるようにすることが要求される。そこで従来、キャブ室内に配設の電気機器類とキャブ室外（機械室）に配設の電気機器類とを接続する配線を、キャブの室内外の境界部近傍で内側配線と外側配線とに分断し、該分断した内側配線と外側配線とをコネクタを用いて接続するようにした技術が提唱されている（例えば、特許文献１参照。）。
【先行技術文献】
【特許文献】
【０００３】
【特許文献１】特開平２−２０２３１３号公報
【発明の概要】
【発明が解決しようとする課題】
【０００４】
しかしながら、前記従来のものは、キャブの壁面に開設した貫通孔を通して外側配線をキャブ室内に引出し、該キャブ室内で外側配線と内側配線とをコネクタで接続する構成になっている。このため、キャブ室内でコネクタの接続作業を行なわなければならない許りか、接続したコネクタがフリーの状態であると機体振動等により接続が外れてしまう惧れがあるため、コネクタを固定する作業も必要になる。而して、キャブ室内の狭隘なスペースでコネクタの接続作業と固定作業とを行なわなければならず、作業性に劣る。しかも、近年、キャブ室内に配設される電気機器類は複数、多種であって、コネクタも複数必要になるが、コネクタの数が多くなると、上記接続作業及び固定作業の作業性は更に悪くなる。そのうえ、コネクタを支持するためのブラケットも必要であり、該ブラケットの配置スペースをキャブ室内に確保する必要も生じる。さらに、前記従来のものでは、外側配線をキャブ室内に引出すにあたり、単にキャブ壁面の貫通孔に外側配線を貫通させただけの構成であるため、貫通孔と外側配線との間に隙間が生じて、該隙間によりキャブ室内の気密性や水密性、防塵性が損なわれて騒音や雨水、塵介の侵入等の問題があり、これらに本発明の解決すべき課題がある。
【課題を解決するための手段】
【０００５】
本発明は、上記の如き実情に鑑みこれらの課題を解決することを目的として創作されたものであって、請求項１の発明は、隔壁の内外に配される内側、外側の配線にそれぞれ接続される対のコネクタ同士を接続するにあたり、前記隔壁に貫通孔を開設し、該貫通孔をコネクタ支持部材で塞ぐと共に、該コネクタ支持部材に、前記対のコネクタのうち片方のコネクタがコネクタ支持部材の内外を貫通する状態で挿入支持される支持孔と、該支持孔の内周部に形成されて片方のコネクタの支持孔への挿入をガイドするべく片方のコネクタに形成のスライド部をスライド移動自在にガイドするガイド部と、片方のコネクタが支持孔の所定位置まで挿入されたときに該片方のコネクタに形成の係止部に係止して片方のコネクタの移動を規制する係止受部とを設け、該係止部と係止受部との係止により片方のコネクタをコネクタ支持部材の支持孔に位置決め状に支持せしめた状態で、該片方のコネクタに他方のコネクタを接続する構成にすると共に、係止受部をコネクタ支持部材のガイド部に形成し、該係止受部に係止する係止部を片方のコネクタのスライド部に形成し、これらコネクタ支持部材のガイド部に形成される係止受部、片方のコネクタのスライド部に形成される係止部を第一の係止受部、第一の係止部とする一方、コネクタ支持部材の支持孔の内周部に、ガイド部から周回り方向に離間させて突起部を形成し、該突起部を第二の係止受部にすると共に、該第二の係止受部に係止する第二の係止部として、前記突起部に係止する係止孔が開設された係止片を片方のコネクタに設けたことを特徴とするコネクタの支持構造である。
請求項２の発明は、請求項１において、片方のコネクタに、係止片の周回り方向両側において係止片よりも外径方向に突出して係止片をガードするガード部を設けたことを特徴とするコネクタの支持構造である。
請求項３の発明は、請求項１または２において、片方のコネクタは、コネクタ支持部材の支持孔に位置決め状に支持された状態で該支持孔の挿入方向基端側の孔縁部に対向するフランジ部を備えると共に、該フランジ部に支持孔の孔縁部との間をシールするシール材を装着したことを特徴とするコネクタの支持構造である。
請求項４の発明は、請求項１乃至３の何れか一項において、コネクタ支持部材は、該コネクタ支持部材の外周縁部が貫通孔の孔縁部に突当てられた状態で隔壁に取付けられると共に、前記コネクタ支持部材の外周縁部に隔壁との間をシールするシール材を装着したことを特徴とするコネクタの支持構造である。
請求項５の発明は、請求項１乃至４の何れか一項において、コネクタ支持部材の支持孔にコネクタが支持されていない場合に、該支持孔をキャップで塞ぐ構成にすると共に、該キャップは、支持孔を塞ぐ蓋面部と、支持孔に挿入支持される脚片部とを備え、蓋面部の外周縁部が支持孔の孔縁部に対向する状態で支持孔に取付けられると共に、該蓋面部の外周縁部に支持孔の孔縁部との間をシールするシール材を装着したことを特徴とするコネクタの支持構造である。
請求項６の発明は、請求項５において、キャップの脚片部に、コネクタ支持部材の支持孔の内周部に第二の係止受部として形成された突起部に係止する係止孔を開設し、該脚片部の係止孔が突起部に係止することでキャップが支持孔に位置決め状に支持される構成にしたことを特徴とするコネクタの支持構造である。
請求項７の発明は、請求項１乃至６の何れか一項において、コネクタ支持部材は、複数対のコネクタを個別に支持するべく複数の支持孔を備えることを特徴とするコネクタの支持構造である。
請求項８の発明は、請求項１乃至７の何れか一項において、隔壁は、建設機械のキャブの外殻を形成する壁面であることを特徴とするコネクタの支持構造である。
【発明の効果】
【０００６】
請求項１の発明とすることにより、隔壁の内外の配線に接続される対のコネクタ同士を接続する場合に、コネクタ支持部材の支持孔に位置決め状に支持せしめた片方のコネクタに他方のコネクタを接続することで、対のコネクタの接続と支持とを容易且つ効率よく行なえることになって、作業性が大幅に向上する。しかも、片方のコネクタは、コネクタ支持部材に形成されたガイド部によって、係止部が係止受部に係止する所定位置まで支持孔に確実且つ容易に挿入されることになる。さらに、隔壁の貫通孔はコネクタ支持部材によって塞がれ、また、コネクタ支持部材の支持孔は片方のコネクタによって塞がれることになるから、隔壁の内外の気密性や水密性、防塵性を確保できる。また、片方のコネクタの支持孔への挿入を、容易且つ円滑に行うことができる。さらに、片方のコネクタを支持孔に挿入することに伴い、係止部を確実に係止受部に係止させることができる。またさらに、片方のコネクタを支持孔の所定位置に強固に支持せしめることができることになって、大きな振動があったり配線作業中等にコネクタが引っ張られるようなことがあったとしても、片方のコネクタが支持孔から外れてしまうような不具合を確実に防止することができる。
請求項２の発明とすることにより、片方のコネクタの運搬時や支持孔への挿入時等に係止片が他の部品に接触して破損したりしてしまうことを、確実に防止することができる。
請求項３の発明とすることにより、片方のコネクタとコネクタ支持部材との間の気密性、水密性、防塵性を確実に確保することができる。
請求項４の発明とすることにより、コネクタ支持部材と隔壁との間の気密性、水密性、防塵性を確実に確保することができる。
請求項５の発明とすることにより、コネクタ支持部材の支持孔にコネクタが支持されていない場合には、該支持孔をキャップで塞ぐことで、隔壁の内外の気密性や水密性、防塵性を確保することができる。
請求項６の発明とすることにより、第二の係止受部として形成された突起部をそのまま利用して、キャップを支持孔に位置決め状に支持できることになって、別途キャップ専用の突起部を設ける必要がなく、構造の簡略化が図れる。
請求項７の発明とすることにより、複数対のコネクタを近接して配置する場合にも対応できると共に、これら複数対のコネクタの接続及び支持を効率よく行うことができる。
請求項８の発明とすることにより、キャブの室内外の配設同士の接続を容易且つ効率よく行うことができると共に、キャブ室内の気密性、水密性、防塵性を確保できる。
【図面の簡単な説明】
【０００７】
【図１】油圧ショベルの側面図である。
【図２】（Ａ）、（Ｂ）はコネクタ支持部材の取付状態を示す側面図、背面図である。
【図３】（Ａ）、（Ｂ）はコネクタ支持部材の正面図、斜視図である。
【図４】（Ａ）、（Ｂ）はコネクタ支持部材の一部切欠き側面図、背面図である。
【図５】（Ａ）、（Ｂ）はコネクタ支持部材のガイド部の平面図、斜視図、（Ｃ）は（Ａ）のＸ−Ｘ断面図である。
【図６】（Ａ）、（Ｂ）、（Ｃ）、（Ｄ）は参考例の内側コネクタの正面図、側面図、背面図、底面図である。
【図７】（Ａ）は参考例の内側コネクタをコネクタ支持部材に取付けた状態を示す一部切欠き側面図、（Ｂ）は（Ａ）の切欠き部の拡大図である。
【図８】（Ａ）、（Ｂ）は図７（Ａ）のＸ矢視図、Ｙ矢視図である。
【図９】（Ａ）は治具を示す図、（Ｂ）、（Ｃ）は治具を用いて内側コネクタを取外す過程を示す図である。
【図１０】（Ａ）、（Ｂ）、（Ｃ）、（Ｄ）、（Ｅ）は本発明の実施の形態の内側コネクタの正面図、側面図、背面図、底面図、斜視図である。
【図１１】（Ａ）は本発明の実施の形態の内側コネクタをコネクタ支持部材に取付けた状態を示す一部切欠き背面図、（Ｂ）は本発明の実施の形態における係止孔と突起部との係止状態を示す図である。
【図１２】（Ａ）はキャップの背面図、（Ｂ）は（Ａ）のＸ−Ｘ断面図、（Ｃ）はキャップの斜視図である。
【図１３】（Ａ）はキャップをコネクタ支持部材に取付けた状態を示す一部切欠き背面図、（Ｂ）はキャップの係止孔と突起部との係止を示す図である。
【発明を実施するための形態】
【０００８】
以下、本発明の参考例について、図１〜図９に基づいて説明する。これらの図面において、１は建設機械の一例である油圧ショベルであって、該油圧ショベル１は、クローラ式の下部走行体２の上部に上部旋回体３が旋回自在に支持されており、該上部旋回体３のフロント部に、ブーム４ａ、アーム４ｂ、バケット４ｃ等から構成されるフロント作業機４が装着されている。
【０００９】
さらに、前記上部旋回体３には、運転室であるキャブ５、該キャブ５の後方に配される機械室６、該機械室６の後方に配されるカウンタウエイト７、図示しない燃料タンクや作動油タンク等が配設されている。前記キャブ５の室内には、オペレータが着座するシート８や、旋回やフロント作業機４による作業を行なうための操作レバー９等が配設されると共に、スタータスイッチ等の操作スイッチ１０、データや映像が表示されるモニタパネル１１、ヒューズボックス１２等の各種電気機器類が配設されている。また、前記機械室６には、エンジン１３や、図示しない油圧ポンプ、ラジエータ等が配設されると共に、エンジン始動用のスタータモータ１４、バッテリ１５等の各種電気機器類が配設されている。
【００１０】
そして、前記キャブ５の室内に配設される電気機器類と、キャブ５の室外である機械室６に配設される電気機器類とは、対応する電気機器同士が配線（電力線や信号線）を介して電気的に接続されることになるが、この場合に、上記配線は、キャブ５の室内に配設の電気機器類に接続される内側配線１６と、機械室６に配設の電気機器類に接続される外側配線１７とに分断されると共に、内側配線（複数の内側配線を束ねたハーネスを含む）１６の先端には内側コネクタ１８が接続される一方、外側配線（複数の外側配線を束ねたハーネスを含む）１７の先端には外側コネクタ１９が接続されており、そしてこれら対となる内側、外側のコネクタ１８、１９同士を接続することによって、キャブ５の室内外に配される電気機器同士の接続がなされるように構成されている。尚、本参考例では、複数の内側配線１６と外側配線１７とを接続するべく複数対のコネクタ１８、１９が設けられていると共に、これら複数対のコネクタ１８、１９のなかには、一極コネクタ及び多極コネクタが含まれている。また、内側コネクタ１８としてはメスコネクタが用いられ、外側コネクタ１９としてはオスコネクタが用いられているが、内側コネクタ１８は本発明の片方のコネクタに相当し、外側コネクタ１９は本発明の他方のコネクタに相当する。
【００１１】
一方、キャブ５の後側壁面（本発明の隔壁、及びキャブの外殻を形成する壁面に相当する）５ａには、機械室６に隣接する部位に、キャブ５の室内外を貫通する矩形状の貫通孔５ｂが開設されている。そして、該貫通孔５ｂは、前記複数対のコネクタ１８、１９を個別に支持するコネクタ支持部材２０によって塞がれるように構成されている。
【００１２】
つまり、前記コネクタ支持部材２０は、樹脂製のパネル状のものであって、前記貫通孔５ｂを塞ぐことができる大きさの矩形状の閉塞面部２０ａを備えていると共に、該閉塞面部２０ａの外周縁部には、キャブ５の室内側から貫通孔５ｂの孔縁部に突当たる取付面部２０ｂが形成されている。該取付面部２０ｂには、略全面に亘ってシール材２１が装着されていると共に、取付面部２０ｂの四隅部及び上下方向中間部には螺子孔２０ｃが開設されている。そして、前記取付面部２０ｂをキャブ５の室内側から貫通孔５ｂの孔縁部に突当てた状態で、キャブ５の室外側から後側壁面５ａを貫通させた螺子２２を螺子孔２０ｃに螺入することによって、コネクタ支持部材２０は貫通孔５ｂを塞ぐ状態で後側壁面５ａに取付けられるようになっている。このとき、取付面部２０ｂに装着されたシール材２１が貫通孔５ｂの孔縁部に密着することによって、コネクタ支持部材２０と後側壁面５ａとの間が気密状、水密状にシールされるようになっている。尚、本参考例、及び後述する本発明の実施の形態の説明において、室内、室外はキャブ５の室内、室外であり、また、内外方向はキャブ５の室内外方向（後側壁面５ａと直交する方向）である。さらに、コネクタ支持部材２０を後側壁面５ａに取付けた状態での上下左右の方向を、上下左右として説明する。
【００１３】
さらに、コネクタ支持部材２０には、前記複数対のコネクタ１８、１９を個別に支持するための複数の支持孔２０ｄ（本参考例では、六つの支持孔２０ｄ）が形成されている。該支持孔２０ｄは、閉塞面部２０ａを内外方向に貫通するように形成された四角筒状の孔であって、該支持孔２０ｄの下側内周面部２０ｍには、前記内側コネクタ１８を内外方向にスライド移動自在にガイドするためのガイド部２０ｅが形成されているが、該ガイド部２０ｅの室内側端部は支持孔２０ｄの内外方向中間部に位置し、また室外側端部は支持孔２０ｄの室外側端部よりも室外側に突出している。尚、支持孔２０ｄは、コネクタ１８、１９の数に対応して（予備の分も含めて）適宜数形成される。また、支持孔２０ｄの左右の内周面部２０ｎには、突起部２０ｐ及びガイド条２０ｑが形成されているが、これら突起部２０ｐ及びガイド条２０ｑについては、後述する本発明の実施の形態において説明する。
【００１４】
前記ガイド部２０ｅは、底面部２０ｆの左右外方に左右の側面部２０ｇが形成された凵形状のものであって、該ガイド部２０ｅに、後述する内側コネクタ１８に形成のスライド部１８ｃがスライド移動自在に内嵌される構成になっている。さらに、底面部２０ｆの左右方向中間部には、下方に向けて凹んだ凹溝部２０ｈが底面部２０ｆの内外方向全長（後述するストッパ２０ｉの形成部分を除く）に亘って形成されていて、底面部２０ｆは左右に分割された状態になっていると共に、上記凹溝部２０ｈの室内側端部には、後述するように支持孔２０ｄに挿入された内側コネクタ１８の移動を位置決め状に規制するためのストッパ（本発明の係止受部に相当する）２０ｉが、凹溝部２０ｈの溝底よりも上方に突出する状態で形成されている。該ストッパ２０ｉの突出高さは、底面部２０ｆと面一状になるように設定されていると共に、ストッパ２０ｉの室内側面は傾斜状に形成されていて、後述する係止凸部１８ｆが乗り越えやすいようになっている。
【００１５】
また、支持孔２０ｄの室内側端部は、閉塞面部２０ａの室内側面よりもキャブ５の室内側に突出していると共に、該支持孔２０ｄの室内側端部の孔縁部には、後述する内側コネクタ１８に形成のフランジ部１８ｈに突当たる突当て部２０ｋが形成されている。
【００１６】
一方、前記対の内側、外側のコネクタ１８、１９は、基端側に内側、外側配線１６、１７がそれぞれ接続される配線接続部１８ａ、１９ａが形成され、先端側に互いにオスメス嵌合する嵌合部１８ｂ、１９ｂが形成されているが、内側コネクタ１８は、嵌合部１８ｂが形成される先端側を挿入方向先端側として、前記コネクタ支持部材２０の支持孔２０ｄにキャブ５の室内側から挿入される構成になっていると共に、該内側コネクタ１８の外周部には、前記支持孔２０ｄの下側内周面部２０ｍに形成されたガイド部２０ｅにスライド移動自在に係合するスライド部１８ｃが形成されている。而して、内側コネクタ１８の支持孔２０ｄへの挿入は、上記スライド部１８ｃがガイド部２０ｅにスライド移動自在にガイドされる状態で行なわれるようになっている。
【００１７】
前記スライド部１８ｃは、ガイド部２０ｅの底面部２０ｆ及び左右の側面部２０ｇにガイドされる底面１８ｄ及び左右の側面１８ｅを備えているが、該スライド部１８ｃの底面１８ｄの左右方向中央部には、内側コネクタ１８が所定位置まで挿入されたときに、前述したストッパ２０ｉに係止する係止凸部（本発明の係止部に相当する）１８ｆが下方に向けて突出形成されている。この係止凸部１８ｆは、挿入方向先端側がスライド部１８ｃの底面１８ｄと面一で、挿入方向基端側ほど突出量が大きくなるよう傾斜状に形成されており、これと、前述したようにストッパ２０ｉの室内側面が傾斜状に形成されていることにより、内側コネクタ１８の挿入時に係止凸部１８ｆがストッパ２０ｉを乗り越えることができるようになっていると共に、係止凸部１８ｆがストッパ２０ｉを乗り越えた状態では該ストッパ２０ｉに係止凸部１８ｆの挿入方向基端側面が係止することによって、内側コネクタ１８の反挿入方向側への移動が規制されるようになっている。そして、前記ストッパ２０ｉを乗り越えた係止凸部１８ｆは、コネクタ支持部材２０のガイド部２０ｅに形成の凹溝部２０ｈ内に位置するようになっている。
【００１８】
さらに、スライド部１８ｃの底面１８ｄの左右方向中央部は、前記係止凸部１８ｆが形成される部位よりも挿入方向先端側部分が、底面１８ｄよりも上方に向けて凹んだ凹溝部１８ｇになっている。該凹溝部１８ｇは、内側コネクタ１８が前記所定位置まで挿入された状態で、コネクタ支持部材２０のガイド部２０ｅに形成された凹溝部２０ｈと連続するようになっており、これら連続する両方の凹溝部１８ｇ、２０ｈによって、コネクタ支持部材２０のガイド部２０ｅと内側コネクタ１８のスライド部１８ｃとの間に、後述する治具２３をキャブ５の室外側から差込むことができる間隙部Ｓが形成されている。
【００１９】
また、内側コネクタ１８の基端側には外径方向に突出するフランジ部１８ｈが形成されているが、該フランジ部１８ｈは、内側コネクタ１８を所定位置まで挿入したときに前記支持孔２０ｄの室内側端部の突当て部２０ｋに対向するように設計されていると共に、該突当て部２０ｋに対向する部位には、シール材２４が装着される嵌合溝１８ｋが形成されている。そして、内側コネクタ１８を所定位置まで挿入したときに、フランジ部１８ｈの嵌合溝１８ｋに装着されたシール材２４が支持孔２０ｄのキャブ室内側端部の突当て部２０ｋに突当たることによって、これ以上の内側コネクタ１８の挿入方向側への移動が規制されると共に、上記シール材２４が突当て部２０ｋに密着することによって、支持孔２０ｄと内側コネクタ１８との間が気密状、水密状にシールされるようになっている。
【００２０】
而して、内側コネクタ１８の支持孔２０ｄへの挿入は、内側コネクタ１８に形成されたスライド部１８ｃが支持孔２０ｄに形成されたガイド部２０ｅにスライド移動自在にガイドされる状態で行なわれると共に、前述したように、内側コネクタ１８が所定位置まで挿入された時点で、スライド部１８ｃに形成された係止凸部１８ｆがガイド部２０ｅに形成されたストッパ２０ｉを乗り越えて該ストッパ２０ｉに係止し、これにより内側コネクタ１８の反挿入方向への移動が規制される一方、内側コネクタ１８に形成のフランジ部１８ｈに装着されたシール材２４が支持孔２０ｄのキャブ室内側端部の突当て部２０ｋに突当たり、これにより内側コネクタ１８のこれ以上の挿入方向への移動が規制され、この様にして、内側コネクタ１８は支持孔２０ｄに位置決め状に支持されるようになっているが、該支持孔２０ｄに位置決め状に支持された状態で、内側コネクタ１８の先端側（嵌合部１８ｂ側）は、支持孔２０ｄからキャブ室外側に突出している。
【００２１】
そして、前記コネクタ支持部材２０の支持孔２０ｄに位置決め状に支持された内側コネクタ１８の嵌合部１８ｂに、外側コネクタ１９の嵌合部１９ｂをキャブ５の室外側から嵌合せしめることによって、内側、外側のコネクタ１８、１９同士を接続することができ、これにより、キャブ５の室内側に配設される電気機器類と、キャブ５の室外側である機械室６に配される電気機器類とが電気的に接続されるようになっている。
【００２２】
ここで、前記コネクタ支持部材２０の支持孔２０ｄに支持された内側コネクタ１８は、前述したように、挿入方向及び反挿入方向への移動が規制された状態であるため、該内側コネクタ１８をコネクタ支持部材２０から取外す場合には、ストッパ２０ｉと係止凸部１８ｆとの係止を、専用の治具２３を用いて解除する構成になっている。該治具２３は、前述したコネクタ支持部材２０のガイド部２０ｅと内側コネクタ１８のスライド部１８ｃとの間に形成される間隙部Ｓに差込むことができる差込み部２３ａを備えているが、該差込み部２３ａの先端側半部は、先端側ほど肉薄になるよう上面が下面に対して傾斜状になった楔形状をしている。そして、図９に示すように、差込み部２３ａを前記間隙部Ｓにキャブ５の室外側から差込むことにより、該差込み部２３ａの先端側がコネクタ支持部材２０のガイド部２０ｅの凹溝部２０ｈに侵入し、さらに、該凹溝部２０ｈに侵入した差込み部２３ａの傾斜状の上面が、スライド部１８ｃの底面１８ｄと凹溝部１８ｇの挿入方向基端側面とのコーナー部１８ｉに当接して、内側コネクタ１８を上方に押しながら反挿入方向に押す。これにより内側コネクタ１８は、係止凸部１８ｆがストッパ２０ｉよりも上方に位置することになって係止が解除されると共に、係止凸部１８ｆがストッパ２０ｉを乗り越える前の位置まで反挿入方向に移動し、この様にして内側コネクタ１８をコネクタ支持部材２０から取外すことができるようになっている。尚、治具２３は、差込み部２３ａの基端側に把持部２３ｂが設けられているが、該把持部２３ｂの下半部には上半部よりも先端側に突出する突出部２３ｃが形成されている。そして、治具２３を上下逆にして用いようとした場合には、上記突出部２３ｃが内側コネクタ１８の室外側部に当たることで、差込み部２３ａを凹溝部２０ｈに侵入させることができないようになっており、これによって、治具２３の使い方を間違えてコネクタ支持部材２０のストッパ２０ｉや内側コネクタ１８の係止凸部１８ｆを傷つけてしまうような不具合を回避できるようになっている。
【００２３】
叙述の如く構成された参考例において、キャブ５の室内外に配される電気機器類同士を電気的に接続する場合には、室内に配設の電気機器類に接続される内側配線１６と、室外に配設の電気機器類に接続される外側配線１７とを、各配線１６、１７にそれぞれ接続される対の内側コネクタ１８、外側コネクタ１９を用いて接続することになるが、この場合に、キャブ５の後側壁面５ａに貫通孔５ｂを開設し、該貫通孔５ｂを塞ぐコネクタ支持部材２０を後側壁面５ａに取付けると共に、該コネクタ支持部材２０に、内側コネクタ１８がコネクタ支持部材２０の内外を貫通する状態で挿入支持される支持孔２０ｄと、該支持孔２０ｄの内周部（下側内周面部２０ｍ）に形成されて内側コネクタ１８の挿入をガイドするガイド部２０ｅと、内側コネクタ１８が支持孔２０ｄの所定位置まで挿入されたときに該内側コネクタ１８に形成の係止凸部１８ｆに係止して内側コネクタ１８の移動を規制するストッパ２０ｉとを設ける。そして、内側コネクタ１８と外側コネクタ１９とを接続する場合には、まず、キャブ５の室内側から内側コネクタ１８をコネクタ支持部材２０の支持孔２０ｄに挿入する。該内側コネクタ１８の支持孔２０ｄへの挿入は、前記ガイド部２０ｅにガイドされながら行なわれると共に、所定位置まで挿入されたときに内側コネクタ１８に形成の係止凸部１８ｆがコネクタ支持部材２０に形成のストッパ２０ｉに係止し、これにより内側コネクタ１８は支持孔２０ｄに位置決め状に支持される。この状態で、外側コネクタ１９を、キャブ５の室外側から内側コネクタ１８に接続することにより、対のコネクタ１８、コネクタ１９同士が接続されると共に、コネクタ支持部材２０に支持されることになる。
【００２４】
この様に、本参考例のものにおいては、キャブ５の後側壁面５ａの貫通孔５ｂに取付けられたコネクタ支持部材２０の支持孔２０ｄに、内側コネクタ１８をキャブ５の室内側から挿通して位置決め状に支持せしめ、該内側コネクタ１８にキャブ５の室外側から外側コネクタ１９を接続するという簡単な作業で、コネクタ１８、１９同士を接続できると共に、これらコネクタ１８、１９をコネクタ支持部材２０を介して後側壁面５ａに固定できることになり、よって、キャブ５内の狭隘なスペースでコネクタ同士の接続作業や固定作業を行なう必要がなく、作業性が大幅に向上する。しかも、支持孔２０ｄの内周部には、内側コネクタ１８の挿入をガイドするためのガイド部２０ｅが形成されているから、位置ズレしたり傾いたりすることなく、内側コネクタ１８を支持孔２０ｄの所定位置まで容易且つ確実に挿入することできる。さらに、後側壁面５ａの貫通孔５ｂはコネクタ支持部材２０によって塞がれ、また、コネクタ支持部材２０の支持孔２０ｄは内側コネクタ１８によって塞がれることになるから、キャブ５室内の気密性、水密性、防塵性を確保することができる。
【００２５】
さらにこのものにおいて、内側コネクタ１８には、コネクタ支持部材２０のガイド部２０ｅにスライド移動自在に係合するスライド部１８ｃが形成されており、内側コネクタ１８の挿入時には該スライド部１８ｃがガイド部２０ｅにスライド移動自在にガイドされることになる。これにより、内側コネクタ１８を支持孔２０ｄに容易且つ円滑に挿入することができる。
【００２６】
また、内側コネクタ１８は、支持孔２０ｄに所定位置まで挿入されたときに係止凸部１８ｆがストッパ２０ｉに係止することで支持孔２０ｄに位置決め状に支持されるが、この場合に、ストッパ２０ｉはコネクタ支持部材２０のガイド部２０ｅに形成される一方、係止凸部１８ｆは内側コネクタ１８のスライド部１８ｃに形成されている。これにより、内側コネクタ１８を支持孔２０ｄに挿入することに伴い、係止凸部１８ｆを確実にストッパ２０ｉに係止させることができる。
【００２７】
一方、内側コネクタ１８をコネクタ支持部材２０から取外す場合には、専用の治具２３を用いてコネクタ支持部材２０のストッパ２０ｉと内側コネクタ１８の係止凸部１８ｆとの係止を解除することになるが、該該治具２３は、コネクタ支持部材２０のガイド部２０ｅと内側コネクタ１８のスライド部１８ｃとの間に形成される間隙部Ｓに差し込まれて内側コネクタ１８を係止解除側に向けて押す楔形状の差込み部２３ａを備えており、而して、該治具２３によって、ストッパ２０ｉや係止凸部１８ｆを破損したりすることなく、容易且つ素早く内側コネクタ１８をコネクタ支持部材２０から取外すことができる。
【００２８】
さらに、内側コネクタ１８は、コネクタ支持部材２０の支持孔２０ｄに位置決め状に支持された状態で、該支持孔２０ｄの室内側端部の孔縁部（挿入方向基端側の孔縁部）に形成された突当て部２０ｋに対向するフランジ部１８ｈを備えると共に、該フランジ部１８ｈには、支持孔２０ｄの孔縁部との間をシールするシール材２４が装着されている。これにより、内側コネクタ１８とコネクタ支持部材２０との間の気密性、水密性、防塵性を確実に確保することができる。
【００２９】
また、コネクタ支持部材２０は、該コネクタ支持部材２０の外周縁部に形成された取付面部２０ｂが貫通孔５ｂの孔縁部に突当てられた状態で後側壁面５ａに取付けられると共に、上記取付面部２０ｂには、後側壁面５ａとの間をシールするシール材２１が装着されている。これにより、コネクタ支持部材２０と後側壁面５ａとの間の気密性、水密性、防塵性を確実に確保することができる。
【００３０】
さらに、コネクタ支持部材２０には複数の支持孔２０ｄが形成されていて、これらの支持孔２０ｄに複数対のコネクタ１８、１９を個別に支持できるように構成されている。これにより、複数対のコネクタ１８、１９を近接して配置する場合にも対応できると共に、これら複数対のコネクタ１８、１９の接続を効率よく行うことができる。
【００３１】
次いで、本発明の実施の形態について、図１０〜図１３に基づいて説明する。尚、本実施の形態では、内側コネクタ１８Ａの構造の一部が参考例と異なるが、コネクタ支持部材２０及び外側コネクタ１９は前記参考例と同一のものであるため、図面及び説明を省略する。さらに、内側コネクタ１８Ａについても、参考例の内側コネクタ１８と同一の部分については、同一の符号を附すと共にその説明を省略する。尚、本実施の形態においても、内側コネクタ１８Ａは本発明の片方のコネクタに相当し、外側コネクタ１９は本発明の他方のコネクタに相当する。
【００３２】
扨、本実施の形態の内側コネクタ１８Ａは、参考例の内側コネクタ１８と同様に、コネクタ支持部材２０のガイド部２０ｅにスライド移動自在に係合するスライド部１８ｃが形成されていると共に、該スライド部１８ｃには、内側コネクタ１８Ａが所定位置まで挿入されたときに、コネクタ支持部材２０のストッパ２０ｉに係止して内側コネクタ１８Ａの移動を規制する係止凸部１８ｆが形成されており、そして、該係止凸部１８ｆがストッパ２０ｉに係止することによって内側コネクタ１８Ａは支持孔２０ｄに位置決め状に支持されるようになっているが、さらに本実施の形態では、内側コネクタ１８Ａがより強固に支持孔２０ｄに位置決め状に支持されるように、前記ストッパ２０ｉを第一の係止受部とし、係止凸部１８ｆを第一の係止部とする一方、後述する第二の係止受部及び第二の係止部が設けられている。
【００３３】
つまり、本実施の形態の内側コネクタ１８Ａの挿入方向基端側には、参考例の内側コネクタ１８と同様に、外径方向に突出するフランジ部１８ｈが形成されると共に、該フランジ部１８ｈにはシール材２４が装着される嵌合溝１８ｋが形成されているが、さらに本実施の形態の内側コネクタ１８Ａのフランジ部１８ｈには、嵌合溝１８ｋよりも内周側の部位から内側コネクタ１８Ａの挿入方向先端側方向に向けて突出する左右の係止片１８ｍが形成されている。該係止片１８ｍは、内側コネクタ１８Ａが支持孔２０ｄに挿入された状態で、支持孔２０ｄの左右の内周面部２０ｎに対して少しの間隙を存して対向するように設計されていると共に、該係止片１８ｍには、後述するように内側コネクタ１８Ａが支持孔２０ｄの所定位置まで挿入されたときにコネクタ支持部材２０に形成の突起部２０ｐに係止する係止孔１８ｎが形成されている。尚、前記突起部２０ｐは第二の係止受部に相当し、係止片１８ｍに開設の係止孔１８ｎは第二の係止部に相当する。
【００３４】
さらに、前記フランジ部１８ｈには、前記左右の係止片１８ｍの周回り方向両側に、係止片１８ｍよりも外径方向に突出するガード片１８ｐ（本発明のガード部に相当する）が形成されているが、該ガード片１８ｐは、内側コネクタ１８Ａが支持孔２０ｄに挿入された状態で、支持孔２０ｄの四箇所のコーナー部分に殆ど間隙のない状態で内嵌されるように設計されている。そして、該ガード片１８ｐは、係止片１８ｍの周回り方向両側において係止片１８ｍよりも外径方向に突出していることによって、他の部品と接触しないように係止片１８ｍをガードし、これにより、内側コネクタ１８Ａの運搬時や支持孔２０ｄへの挿入時等に係止片１８ｍが他の部品に接触して破損したりしてしまうことを防止できるようになっている。尚、前記ガード片１８ｐは係止片１８ｍに対して周回り方向に若干の間隙を存する状態で設けられており、該ガード片１８ｐと係止片１８ｍとの間隙には、後述するガイド条２０ｑが嵌入するようになっている。
【００３５】
一方、コネクタ支持部材２０の支持孔２０ｄの左右の内周面部２０ｎには、内側コネクタ１８Ａが支持孔２０ｄに所定位置まで挿入されたときに、前記左右の係止片１８ｍの係止孔１８ｎに係止する左右の突起部２０ｐが突設されている。該突起部２０ｐは、内側コネクタ１８Ａの挿入方向先端側ほど突出量が大きくなるように傾斜状に形成されており、これにより、内側コネクタ１８Ａの挿入時に係止片１８ｍの係止孔１８ｎよりも挿入方向先端側が突起部２０ｐを乗り越えることができるようになっていると共に、突起部２０ｐが係止孔１８ｎに嵌合した状態では、該突起部２０ｐの挿入方向先端側面が係止孔１８ｎの孔縁部に係止することによって、内側コネクタ１８Ａの反挿入方向への移動が規制されるようになっている。
【００３６】
さらに、コネクタ支持部材２０の支持孔２０ｄの左右の内周面部２０ｎには、前記突起部２０ｐの上下両側にガイド条２０ｑが形成されている。該ガイド条２０ｑは、内側コネクタ１８Ａの挿入時に、前記係止片１８ｍとガイド片１８ｐとの間の間隙に嵌入するようになっており、これにより係止片１８ｍは、ガイド条２０ｑによって上下両側がガイドされる状態で、突起部２０ｐに係止する位置までスムーズに導かれるようになっている。
【００３７】
そして、前記突起部２０ｐと係止孔１８ｎとの係止は、前述したストッパ２０ｉと係止凸部１８ｆとの係止と同時的に、つまり、両方の係止とも、内側コネクタ１８Ａが支持孔２０ｄの所定位置まで挿入されたときに行なわれるようになっている。つまり、内側コネクタ１８Ａは、所定位置まで挿入された状態では、係止凸部１８ｆがストッパ２０ｉに係止すると共に、左右の係止片１８ｍの係止孔１８ｎが突起部２０ｐに係止することになるが、この場合に、左右の突起部２０ｐは、ストッパ２０ｉが形成されるガイド部２０ｅとは周回り方向に離間して設けられており（ガイド部２０ｅは支持孔２０ｄの下側内周面部２０ｍに形成される一方、左右の突起部２０ｐは支持孔２０ｄの左右の内周面部２０ｎに形成されている）、これにより、内側コネクタ１８Ａは周回り方向に離間する三箇所で支持孔２０ｄに位置決め状に係止されるようになっている。
【００３８】
而して、叙述の如く構成された本発明の実施の形態においても、コネクタ支持部材２０の支持孔２０ｄにキャブ５の室内側から内側コネクタ１８Ａを挿通して位置決め状に支持せしめ、該内側コネクタ１８Ａにキャブ５の室外側から外側コネクタ１９を接続することで、対のコネクタ１８Ａ、コネクタ１９同士が接続されると共に、これらコネクタ１８Ａ、１９をコネクタ支持部材２０を介して後側壁面５ａに固定できることになり、よって、参考例と同様の作用効果を奏するが、さらに本実施の形態では、内側コネクタ１８Ａを支持孔２０ｄに位置決め状に支持せしめるにあたり、コネクタ支持部材２０のガイド部２０ｅに形成されるストッパ２０ｉを第一の係止受部とし、内側コネクタ１８Ａのスライド部１８ｃに形成されて上記ストッパ２０ｉに係止する係止凸部１８ｆを第一の係止部とする一方、コネクタ支持部材２０の内周部に、第二の係止受部として、ガイド部２０ｅから周回り方向に離間させて左右の突起部２０ｐを形成すると共に、内側コネクタ１８Ａには、第二の係止部として、上記左右の突起部２０ｐに係止する係止孔１８ｎが開設された左右の係止片１８ｍが設けられている。これにより、内側コネクタ１８Ａは、支持孔２０ｄに所定位置まで挿入されたときに、第一係止部である係止凸部１８ｆが第一係止受部であるストッパ２０ｉに係止するだけでなく、第二係止部である左右の係止片１８ｍに開設の係止孔１８ｎが第二係止受部である突起部２０ｐに係止すると共に、該突起部２０ｐは、ストッパ２０ｉが形成されるガイド部２０ｅから周回り方向に離間して形成されているから、内側コネクタ１８Ａは、周回り方向に離間する三箇所で支持孔２０ｄに位置決め状に係止されることになり、よって、内側コネクタ１８Ａを支持孔２０ｄの所定位置に強固に支持せしめることができて、大きな機体振動があったり配線作業中等にコネクタ１８Ａ、１９が引っ張られるようなことがあったとしても、内側コネクタ１８Ａが支持孔２０ｄから外れてしまうような不具合を、確実に防止することができる。
【００３９】
しかも、前記左右の係止片１８ｍは、該係止片１８ｍの周回り方向両側において係止片１８ｍよりも外径方向に突出するガード片１８ｐによってガードされる構成であるから、内側コネクタ１８Ａの運搬時や支持孔２０ｄへの挿入時等に係止片１８ｍが他の部品に接触して破損したりしてしまうことを、確実に防止することができる。
【００４０】
ところで、前記コネクタ支持部材２０には複数の支持孔２０ｄが形成されていて、複数のコネクタ１８Ａ、１９を支持できるようになっているが、これら支持孔２０ｄのうち使用されていない、つまりコネクタ１８Ａ、１９が支持されていない支持孔２０ｄがある場合には、該支持孔２０ｄをキャップ２５で塞ぐことで、キャブ５の室内外の気密性や水密性、防塵性を確保できるように構成されている。
【００４１】
前記キャップ２５は、支持孔２０ｄを塞ぐ蓋面部２５ａと、支持孔２０ｄに挿入支持される左右の脚片部２５ｂとを備えている。左右の脚片部２５ｂには、該脚片部２５ｂをキャブ５の室内側から支持孔２０ｄに挿入したときに、前記コネクタ支持部材２０の左右の内周面部２０ｎに形成の突起部２０ｐに係止する係止孔２５ｃが開設されており、そして、該脚片部２５ｂの係止孔２５ｃが突起部２０ｐに係止することで、支持孔２０ｄに位置決め状に支持されるようになっていると共に、脚片部２５ｂの支持孔２０ｄへの挿入は、前記突起部２０ｐの上下両側に形成されたガイド条２０ｑによってガイドされるように構成されている。さらに、脚片部２５ｂの係止孔２５ｃが突起部２０ｐに係止した状態で、蓋面部２５ａが支持孔２０ｄを塞ぐと共に、該蓋面部２５ａの外周縁部が支持孔２０ｄの室内側端部の突当て部２０ｋに対向するように設計されているが、該突当て部２０ｋに対向する部位にはシール材２６が装着される嵌合溝２５ｄが形成されており、該嵌合溝２５ｄに装着されたシール材２６が突当て部２０ｋに密着することによって、支持孔２０ｄと蓋面部２５ａとの間が気密状、水密状にシールされるようになっている。
【００４２】
而して、使用されていない支持孔２０ｄがある場合には、該支持孔２０ｄをキャップ２５で塞ぐことで、キャブ５の室内外の気密性や水密性、防塵性を確保できることになるが、上記キャップ５は、前述したように、脚片部２５ｂに開設された係止孔２５ｃがコネクタ支持部材２０に形成の突起部２０ｐに係止することで、支持孔２０ｄに位置決め状に支持されることになる。つまり、前述した本実施の形態の内側コネクタ１８Ａを支持孔２０ｄに位置決め状に支持するために第二の係止受部として形成された突起部２０ｐをそのまま利用して、キャップ２５を支持孔２０ｄに位置決め状に支持できることになって、別途キャップ専用の突起部を設ける必要がなく、構造の簡略化が図れる。さらに、脚片部２５ｂの支持孔２０ｄへの挿入をガイドするガイド条２０ｑについても、内側コネクタ１８Ａの係止片１８ｍの挿入をガイドするために用いられるガイド条２０ｑをそのまま利用できることになって、さらなる構造の簡略化が図れる。
尚、参考例においても、使用されていない支持孔２０ｄがある場合には、該支持孔２０ｄを前記キャップ２５で塞ぐことで、キャブ５の室内外の気密性や水密性、防塵性を確保できることは勿論であるが、参考例においては、コネクタ支持部材２０の左右の内周面部２０ｎに形成される突起部２０ｐ及びガイド条２０ｑは、キャップ専用のものとして用いられることになる。
【００４３】
また、本発明は上記実施の形態に限定されないことは勿論であって、上記実施の形態のように建設機械のキャブの室内外に配設される配線同士を接続する場合だけでなく、本発明は、種々のスペースを区画する隔壁の内外に配設される配線同士を接続する場合に実施できる。
【産業上の利用可能性】
【００４４】
本発明は、隔壁の内外に配される配線同士をコネクタを用いて接続する場合に利用することができる。
【符号の説明】
【００４５】
５ａ    キャブの後側壁面
５ｂ    貫通孔
１６    内側配線
１７    外側配線
１８    内側コネクタ
１８Ａ  内側コネクタ
１８ｃ  スライド部
１８ｆ  係止凸部
１８ｈ  フランジ部
１８ｍ  係止片
１８ｎ  係止片の係止孔
１８ｐ  ガード片
１９    外側コネクタ
２０    コネクタ支持部材
２０ｄ  支持孔
２０ｅ  ガイド部
２０ｉ  ストッパ
２０ｐ  突起部
２１    シール材
２４    シール材
２５    キャップ
２５ａ  蓋面部
２５ｂ  脚片部
２５ｃ  脚片部の係止孔
２６    シール材
【図１】
0005495329.tif 000002
【図２】
0005495329.tif 000003
【図３】
0005495329.tif 000004
【図４】
0005495329.tif 000005
【図５】
0005495329.tif 000006
【図６】
0005495329.tif 000007
【図７】
0005495329.tif 000008
【図８】
0005495329.tif 000009
【図９】
0005495329.tif 000010
【図１０】
0005495329.tif 000011
【図１１】
0005495329.tif 000012
【図１２】
0005495329.tif 000013
【図１３】
0005495329.tif 000014